(57)【特許請求の範囲】
【請求項１】
液透過性の表面シートと、裏面シートと、前記表面シートと前記裏面シートとの間に挟まれた吸収層を有する本体部と、前記本体部の横方向に間隔を空けて縦方向に延びる一対の不透液部材と、が設けられている吸収性物品において、
各不透液部材は、縦方向に対向する前方および後方に位置する端部領域と、両端部領域の間に位置する中間領域とを有し、前記中間領域は、本体部の表面に固定された縦方向に延びる固定部と、前記縦方向の寸法を縮める弾性収縮力が作用して防漏壁を形成する非固定部とを有しており、
前記固定部では、各不透液部材の固定側縁部が左右両外側に向けられた状態で各不透液部材の一部が前記本体部の表面に面接合されて固定され、各不透液部材の前方と後方の端部領域の少なくとも一方には、前記中間領域の前記固定側縁部とは逆に向く自由縁部からさらに突出するフラップが一体に形成されており、
前記不透液部材を、前記非固定部と前記固定部との境界部で折り返して、前記フラップを前記本体部の横方向に対向する縁部を経て前記裏面シート側に重ねることが可能とされていることを特徴とする吸収性物品。
【請求項２】
前記フラップが前記裏面シート側に折り曲げられて、前記フラップと前記裏面シートとが固定されている請求項１記載の吸収性物品。
【請求項３】
前記フラップと前記裏面シートの少なくとも一方に、前記フラップが前記裏面シート側に折り曲げられた状態で前記フラップと前記裏面シートとを固定する着脱自在な固定手段が設けられている請求項１記載の吸収性物品。
【請求項４】
吸収性物品が下着の内面に設置された状態で、前記フラップは前記下着の外面に向けて折り曲げ可能であり、前記フラップには、前記下着の外面に固定するための着脱自在な固定手段が設けられている請求項１記載の吸収性物品。
【請求項５】
前記不透液部材の一方の端部領域に前記フラップが形成され、他方の端部領域で、前記不透液部材が前記本体部の表面から離間しないように固定されている請求項１ないし４のいずれかに記載の吸収性物品。
【請求項６】
前記不透液部材の両端部領域のそれぞれに、前記フラップが設けられている請求項１ないし４のいずれかに記載の吸収性物品。
【請求項７】
前記フラップは、前記本体部の表面に固定されておらず、前記フラップ全体が前記本体部の表面から離間可能である請求項１ないし６のいずれかに記載の吸収性物品。
【請求項８】
前記フラップを形成している前記端部領域は、前記本体部の前後方向の縁部よりも外側へ突出している請求項１ないし８のいずれかに記載の吸収性物品。
【請求項９】
前記非固定部と前記固定部との境界部である前記不透液部材の本体部の表面からの立ち上がり起点が、前記吸収層の上に位置している請求項１ないし８のいずれかに記載の吸収性物品。
【発明の詳細な説明】
【０００１】
【発明の属する技術分野】
本発明は、生理用ナプキン、尿取りパッド、おむつの吸収補助パッドなどとして用いられる吸収性物品に関し、さらに詳しくは防漏壁の形状を安定させて体排出液の横漏れ防止効果を高めた吸収性物品に関する。
【０００２】
【従来の技術】
体排出液の横漏れを防止するために、縦方向に延びる両縁部の内側に防漏壁が設けられた吸収性物品が有る。前記防漏壁は、その縦方向の両端部領域が前記吸収性物品の表面に離れることができないように固定されており、前記両端部領域で挟まれた中間領域において、前記防漏壁は、その一側縁部が吸収性物品の表面に固定され自由縁部が前記吸収性物品の表面から離間可能とされており、前記中間領域において、前記防漏壁に弾性収縮力を発揮する弾性部材が取付けられている。
【０００３】
前記防漏壁の両端部領域が吸収性物品の表面に固定されているため、前記弾性部材の弾性収縮力によって吸収性物品に縦方向に向かう湾曲力が作用して吸収性物品が湾曲形状となる。そして前記中間領域において、前記防漏壁の前記自由縁部が吸収性物品の表面から離れる方向へ立ち上がる。このように立ち上がった状態の前記防漏壁が着用者の肌に当たることにより、吸収性物品の横方向へ流れようとする体排出液が堰き止められ、体排出液の横漏れ防止効果を高めている。
【０００４】
【発明が解決しようとする課題】
しかし、従来の吸収性物品では、前記防漏壁の両端部領域が吸収性物品の表面にのみ固定されている。そのため、着用中に前記吸収性物品の前記表面が変形すると、前記表面の変形が前記防漏壁に直接に影響し、前記表面の形状の変化に追従して防漏壁が不規則に変形しやすい。
【０００５】
例えば、生理用ナプキンの場合、この生理用ナプキンを下着のクロッチ部に装着し、下着を着用する際に前記クロッチ部を身体の股間部に向けて強く引き上げることが多く、前記クロッチ部に固定された吸収性物品は中央部分が股間部に向かう状態の凸形状に変形しやすい。このとき、従来の構造の生理用ナプキンでは、その表面にのみ固定されている前記防漏壁が前記凸形状の変形に追従して変形し、自由縁部が不規則に倒れやすい。
【０００６】
また、従来の吸収性物品では、前記防漏壁が全長にわたって吸収性物品と一体化されている。そのため、着用中の吸収性物品が、例えば幅が縮まるように変形すると、この吸収性物品と一体の防漏壁が吸収性物品の全体の変形に追従して変形し、下着のクロッチ部と前記防漏壁との相対位置が変化しやすくなる。
【０００７】
前記のように吸収性物品の変形に追従して防漏壁が不規則に変形すると、防漏壁と着用者の肌との密着性が低下し、防漏壁を越えて側方へ体排出液が流れ出しやすくなるなどの問題が生じる。
【０００８】
本発明は上記従来の課題を解決するものであり、不透液部材で形成される防漏壁に不規則な変形が生じにくいようにして、防漏壁による横漏れ効果を有効に発揮できるようにした吸収性物品を提供することを目的としている。
【０００９】
【課題を解決するための手段】
本発明は、液透過性の表面シートと、裏面シートと、前記表面シートと前記裏面シートとの間に挟まれた吸収層を有する本体部と、前記本体部の横方向に間隔を空けて縦方向に延びる一対の不透液部材と、が設けられている吸収性物品において、
各不透液部材は、縦方向に対向する前方および後方に位置する端部領域と、両端部領域の間に位置する中間領域とを有し、前記中間領域は、本体部の表面に固定された縦方向に延びる固定部と、前記縦方向の寸法を縮める弾性収縮力が作用して防漏壁を形成する非固定部とを有しており、
前記固定部では、各不透液部材の固定側縁部が左右両外側に向けられた状態で各不透液部材の一部が前記本体部の表面に面接合されて固定され、各不透液部材の前方と後方の端部領域の少なくとも一方には、前記中間領域の前記固定側縁部とは逆に向く自由縁部からさらに突出するフラップが一体に形成されており、
前記不透液部材を、前記非固定部と前記固定部との境界部で折り返して、前記フラップを前記本体部の横方向に対向する縁部を経て前記裏面シート側に重ねることが可能とされていることを特徴とするものである。
【００１０】
本発明の第１の形態は、前記フラップが前記裏面シート側に折り曲げられて、前記フラップと前記裏面シートとが固定されているものである。
【００１１】
この第１の形態は、吸収性物品が完成した状態において、前記端部領域に形成されたフラップが本体部の側縁部を越えて裏面側に巻き込むように折りたたまれて、前記フラップと前記裏面シートとが予め分離不能な状態に固定されているものである。
【００１２】
本発明の第２の形態は、前記フラップと前記裏面シートの少なくとも一方に、前記フラップが前記裏面シート側に折り曲げられた状態で前記フラップと前記裏面シートとを固定する着脱自在な固定手段が設けられているものである。
【００１３】
この第２の形態では、吸収性物品が完成した時点において、前記フラップは本体部の表面側に位置し、好ましくはその自由縁部が本体部の中心側に向いた状態で、不透液部材が本体部の表面に重ねられている。そして着用時に、前記不透液部材を本体部の左右両外側へ向けて倒すように変形させ、前記フラップを本体部の裏面側へ巻き込ませるように変形させて、フラップを裏面シートに感圧接着剤層などの固定手段を介して固定させる。
【００１４】
前記第１と第２の形態では、吸収性物品を着用した状態で、不透液部材の少なくとも一方の端部領域が本体部の側縁部に拘束されている。よって股間部に挟まれるなどして幅方向が縮まるように変形しても、不透液部材で形成される防漏壁が、本体部の表面の変形形状に直接の影響を受けることがなく、防漏壁が不規則な向きに倒れにくい。
【００１５】
本発明の第３の形態は、吸収性物品が下着の内面に設置された状態で、前記フラップは前記下着の外面に向けて折り曲げ可能であり、前記フラップには、前記下着の外面に固定するための着脱自在な固定手段が設けられているものである。
【００１６】
この第３の形態では、不透液部材の少なくとも一方の端部領域が下着に固定して使用できるものとしているため、着用状態で、下着の内側に設けられた本体部に変形力が作用しても、不透液部材が下着に支持されているため下着のクロッチ部と前記不透液部材との位置関係が変化しにくく、不透液部材を身体の排泄部の両側部の好ましい位置に常に当接させることができる。また、不透液部材の不規則な変形を防止できるようになる。
【００１７】
前記第２の形態と第３の形態では、着用前の状態で、不透液部材が本体部に倒されて吸収性物品が平坦な形状であるため、折り畳んで携帯するのに適した大きさで個別に包装することが可能である。
【００１８】
例えば、前記不透液部材の一方の端部領域に前記フラップが形成され、他方の端部領域に前記本体部の表面から離間しないように固定する固定部が設けられている。
【００１９】
このように一方の端部領域にのみフラップを形成して、このフラップを本体部の裏面側へ巻き込ませるようにすると、不透液部材で形成される防漏壁が外側へ倒れにくくなり、前記防漏壁が本体部の表面から立ち上がった状態を維持しやすい。
【００２０】
あるいは、前記不透液部材の両端部領域のそれぞれに、前記フラップが設けられているものであってもよい。
【００２１】
不透液部材の両端部領域のそれぞれにフラップが設けられていると、吸収性物品の変形に対して不透液部材が影響を受けにくい。特にそれぞれのフラップが下着に固定されていると、下着と不透液部材との相対位置が変化しにくくなる。
【００２２】
また本発明では、前記フラップが前記本体部の表面に固定されておらず、前記フラップ全体が前記本体部の表面から離間可能であるものとすることができる。
【００２３】
フラップの全体が本体部から離間可能であると、フラップを下着の側縁部から外面にかけて曲げやすくなる。
【００２４】
また、本発明では、前記フラップを形成している端部領域が、前記本体部の前後方向の縁部よりも外側へ突出しているものであってもよい。
【００２５】
このように不透液部材の縦寸法を長くしておくと、フラップを裏面シートや下着の外面に固定したときに、不透液部材で形成される防漏壁の形状が安定しやすい。
【００２６】
また、前記不透液部材が本体部から離間するときの立ち上がり起点が、前記吸収層の上に位置していることが好ましい。
【００２７】
前記吸収層が設けられている部分は、他の領域よりも剛性が高くなっているため、その上を起点として不透液部材を立ち上がらせることにより、防漏壁がさらに変形しにくくなる。
【００２８】
【発明の実施の形態】
図１は本発明の吸収性物品の第１の実施の形態の生理用ナプキンを着用時の状態で示す斜視図、図２は本体部と不透液部材との初期の接合状態を示す平面図、図３は前記不透液部材を左右外側へ開いた状態を示す平面図、図４は図１のＩＶ−ＩＶ線の断面図である。
【００２９】
図１ないし図４に示す生理用ナプキン１０は、図１の状態で、生理中の女性が下着のクロッチ部の内面に装着して着用するものである。
【００３０】
図１ないし図４に示す生理用ナプキンの本体部１の平面形状は、ほぼ円弧形状の前縁部１ａおよび同じく円弧形状の後縁部１ｂおよび、右側縁部１ｃと左側縁部１ｄを有し、右側縁部１ｃと左側縁部１ｄとの距離すなわち本体部１の幅寸法は、前方部分よりも後方部分がやや大きい。
【００３１】
図４に示すように、前記本体部１は、液透過性の表面シート２と、液不透過性の裏面シート３と、前記表面シート２と前記裏面シート３の間に設けられた液を吸収する能力と吸収した液を保持する能力を有する吸収層４とが重ねられた構造である。
【００３２】
この実施の形態では、前記表面シート２と前記裏面シート３とが同じ大きさであり、前記表面シート２および裏面シート３の前縁部と後縁部および右側縁部と左側縁部が、前記本体部１の前縁部１ａ、後縁部１ｂおよび右側縁部１ｃと左側面部１ｄと一致している。
【００３３】
前記吸収層４は所定の厚みを有しており、図１および図２において破線で示しているように、前縁部４ａ、後縁部４ｂ、右側縁部４ｃおよび左側縁部４ｄを有する形状である。前記吸収層４の前記前縁部４ａと後縁部４ｂは、本体部１の前記前縁部１ａおよび後縁部１ｂと相似形状であり、吸収層４の右側縁部４ｃと左側縁部４ｄも、本体部１の前記右側縁部１ｃおよび左側縁部１ｄと相似形状である。
【００３４】
前記吸収層４の前縁部４ａ、後縁部４ｂ、右側縁部４ｃおよび左側縁部４ｄは、本体部１の前記前縁部１ａ、後縁部１ｂ、右側縁部１ｃおよび左側縁部１ｄよりも３〜１０ｍｍの幅を空けて内側に位置している。そして、吸収層４の前記前縁部４ａ、後縁部４ｂ、右側縁部４ｃおよび左側縁部４ｄよりも外側の領域で、前記表面シート２と前記裏面シート３とがホットメルト接着剤などで接着されている。
【００３５】
前記本体部１を幅方向に二分して縦方向に延びる中心線をＯ−Ｏとしたときに、前記中心線Ｏ−Ｏを挟んで左右両側に所定間隔を開けた位置に不透液部材１１と１２が設けられている。両不透液部材１１と１２は、幅方向（Ｘ方向）に間隔を空けて、前記本体部１の縦方向（Ｙ方向）に向けて互いに平行に延びるように設けられている。
【００３６】
本明細書では、それぞれの不透液部材１１と１２を縦方向に三等分した領域を設定し、三等分した中央の領域を中間領域、前縁部１ａ側の１／３の長さの領域を前方端部領域、後縁部１ｂ側の１／３の長さの領域を後方端部領域と定義する。
【００３７】
また、不透液部材１１と１２にはフラップが設けられているが、このフラップとは、中心線Ｏ−Ｏから互いに離れる方向へ向けられたときに、本体部１の右側縁部１ｃおよび左側縁部１ｄよりも外側へ突出させることができるとともに前記右側縁部１ｃと左側縁部１ｄを越えて裏面シート３の外面に対面させる位置へ向けて曲げ変形が可能なものであり、さらに裏面シート３に固定することができるように裏面シート３に対面できる大きさを有するものと定義する。
【００３８】
また、フラップは、不透液部材１１と１２の前方端部領域と、後方端部領域の少なくとも一方に設けられているが、このフラップは、前方端部領域または後方端部領域の持つ縦方向の長さのうちの一部の長さの範囲で形成されているものであってもよいし、前記前方端部領域または後方端部領域の縦方向の長さと同じ長さの範囲で形成されていてもよい。さらには、前記フラップが、前記前方端部領域または後方端部領域から中間領域の一部まではみ出しているものを排除するものではない。
【００３９】
前記中間領域、前方端部領域、後方端部領域、およびフラップの定義は、以下の全ての実施の形態において同じである。
【００４０】
ここで、第１の実施の形態の生理用ナプキン１０を図１に示す使用状態とするための態様として以下の２つの例がありえる。
【００４１】
第１の例では、生理用ナプキン１０の完成状態、すなわち着用者が個別の包装を開封して前記生理用ナプキン１０を取り出した使用直前の状態で、前記不透液部材１１と１２は、既に図１に示す構造となっている。第２の例では、生理用ナプキン１０が完成した状態、すなわち前記の使用直前の状態で、前記不透液部材１１と１２が、図２のように本体部１の表面に倒された状態である。そして着用者自らが、不透液部材１１と１２を図２の状態から左右両側へ倒して図３の状態とし、さらにその一部を本体部１の裏面側へ折り曲げ、図１と同じ状態にしてから着用する。
【００４２】
このように第１の例と第２の例とで、生理用ナプキンの完成時の形態が相違しているが、前記本体部１の構造および以下で説明する不透液部材１１と１２の形状などは実質的に同じである。そのため、図１ないし図４では、第１の実施の形態の生理用ナプキン１０を前記第１の例と第２の例に適用できるものとして同時に説明する。
【００４３】
前記不透液部材１１は、中間領域を含む縦方向の長さがＬ１である防漏壁形成部１１Ａと、前方端部領域に位置して、前縁部１１ａを含む長さがＬ２であるフラップ１１Ｂと、後方端部領域に位置して後縁部１１ｂを含む長さがＬ３である後方端部１１Ｃとを有している。同様に、前記不透液部材１２は、中間領域を含む縦方向の長さがＬ１である防漏液形成部１２Ａと、前方領域に位置して、前縁部１２ａを含む長さがＬ２であるフラップ１２Ｂと、後方端部領域において後縁部１２ｂを含む長さがＬ３である後方端部１２Ｃとを有している。
【００４４】
図４に示すように、不透液部材１１と１２は、細長い帯状の不透液シート２０をその長手方向に延びる折り線を介して２枚重ね状態に折り畳んで形成されている。不透液部材１１は、フラップ１１Ｂにおいて、前記折り線の部分が自由縁部１１ｅとなっている。また防漏壁形成部１１Ａでは、２枚重ねの前記不透液シート２０が切断された縁部が自由縁部１１ｄとなっている。
【００４５】
前記防漏壁形成部１１Ａとフラップ１１Ｂでは、２枚重ねとされた前記不透液シート２０の一部が、幅寸法がＷ１で縦方向に延びる固定部１３となっており、この固定部１３が、前記本体部１の表面に接着剤や熱シール手段を用いて固定されている。そして記不透液部材１１は前記固定部１３以外の部分が本体部１の表面から離れることが可能な自由部分（非固定部）となっている。
【００４６】
前記後方端部１１Ｃでは、前記防漏壁形成部１１Ａの自由縁部１１ｄと連続する縁部１１ｆが右側縁部１ｃに向けられるように、前記不透液シート２０が折り畳まれており、前記後方端部１１Ｃでは、前記不透液部材１１の全体が、前記本体部１の表面から離れないように固定されて折畳み固定部１６が形成されている。この折畳み固定部１６では、不透液シート２０が、接着剤または熱シールなどで固定されている。
【００４７】
前記不透液部材１２は、前記不透液部材１１と左右対称の形状であり、フラップ１２Ｂの自由縁部を１２ｅで示し、防漏壁形成部１２Ａの自由縁部を１２ｄで示している。また前記フラップ１２Ｂと防漏壁形成部１２Ａでは、前記不透液部材１２の一部が幅寸法がＷ１の固定部１４となっており、この固定部１４が本体部１の表面に縦方向に沿って固定されている。また不透液部材１２は前記固定部１４以外の部分が本体部１から離れることのできる自由部分（非固定部）である。さらに後方端部１２Ｃでは、前記防漏壁形成部１２Ａの自由縁部１２ｄと連続する縁部１２ｆが本体部１の左側縁部１ｄに向けられた状態となるように、前記不透液シート２０が折りたたまれており、折りたたまれた前記不透液部材１２の全体が本体部１の表面から離れないように固定されて折畳み固定部１７が形成されている。この折畳み固定部１７では、不透液シート２０が接着または熱シールなどで固定されている。
【００４８】
図１および図２に示すように、前記固定部１３と１４は、防漏壁形成部１１Ａと１２Ａおよびフラップ１１Ｂ，１２Ｂの全長に渡って設けられている。前記防漏壁形成部１１Ａ，１２Ａおよびフラップ１１Ｂ，１２Ｂでは、前記固定部１３または１４と、前記非固定部との境界線が縦方向に延びる起点縁部１３ａ，１４ａとなっている。そして不透液部材１１の前記起点縁部１３ａと前記各自由縁部１１ｄおよび１１ｅとで囲まれた前記非固定部を、本体部１の表面から離間して右側縁部１ｃの方向へ倒すことが可能となっている。同様に、前記不透液部材１２の前記起点縁部１４ａと前記各自由縁部１２および１２ｅとで囲まれた非固定部を、本体部１の表面から離間して左側縁部１ｄの方向へ倒すことが可能となっている。
【００４９】
そして、前記起点縁１３ａ，１４ａは、吸収層４の右側縁部４ｃと左側縁部４ｄの内側で、且つ前記吸収層４の上に位置している。
【００５０】
前記不透液部材１１と１２では、前記防漏壁形成部１１Ａと１２Ａの全長にわたって、２枚重ねの不透液シート２０の間に弾性部材１５，１５が挟まれて固定されている。前記弾性部材１５，１５は縦方向に伸ばされた状態で前記不透液シート２０に接合されている。その結果、前記防漏壁形成部１１Ａと１２Ａでは、非固定部を形成している前記不透液部材１１と１２に、縦方向の寸法を縮めようとする弾性収縮力が作用している。
【００５１】
図２に示すように、前記防漏壁形成部１１Ａ，１２Ａの、前記起点縁部１３ａ，１４ａから自由縁部１１ｄ，１２ｄまでの非固定部の幅寸法をＷ２とし、前記フラップ１１Ｂ，１２Ｂでの起点縁部１３ａ，１４ａから自由縁部１１ｅ，１２ｅまでの非固定部の幅寸法をＷ３としたときに、前記幅寸法Ｗ３は前記幅寸法Ｗ２よりも十分に広く形成されている。
【００５２】
この生理用ナプキン１０では、前記起点縁部１３ａと起点縁部１４ａとで挟まれた領域で、且つ吸収層４を覆う表面シート２が現れている領域が受液領域２１である。また本体部１の裏面では、裏面シート３の外面に本体部固定手段として感圧接着剤層２２，２２が設けられている。この感圧接着剤層２２，２２はホットメルト型であり、前記裏面シート３の外面において縦方向に延びる帯状に塗工されている。
【００５３】
この生理用ナプキン１０では、図２の不透液部材１１と１２の非固定部が、前記起点縁部１３ａ，１４ａを起点として図３に示すように左右両外側へ折り曲げられ、さらにフラップ１１Ｂと１２Ｂを、本体部１の右側縁部１ｃと左側縁部１ｄを経て図１に示すように本体部１の裏面側に折り曲げることができるようになっている。
【００５４】
そして、前記第１の例では、前記フラップ１１Ｂ，１２Ｂが、本体部１の裏面シート３の外面に固定されている。このときの固定手段は、容易に離脱できないものであり、例えばホットメルト型接着剤による固定、熱シールによる固定、あるいは縫合などである。
【００５５】
前記第１の例では、図１に示すように、フラップ１１Ｂ，１２Ｂが裏面シート３の外面に固定された状態が、生理用ナプキンの完成状態であり、この状態で折りたたまれるなどして包装シートで個別に包装される。
【００５６】
次に、前記第２の例では、図２に示すように、裏面シート３の外面に、着脱自在な固定手段として感圧接着剤層２３，２３が形成されている。あるいは、フラップ１１Ｂ，１２Ｂの図２の状態で手前に現れている外面に前記感圧接着剤層が設けられていてもよい。あるいは、フラップ１１Ｂ，１２Ｂの前記外面と、前記裏面シート３の外面の一方に、面ファスナーの雄シートが他方に雌シートが設けられて、前記フラップ１１Ｂ，１２Ｂと、裏面シート３とが着脱自在とされていてもよい。
【００５７】
前記第２の例では、使用前の状態で、図２に示すように不透液部材１１と１２が、本体部１の前面において受液領域２１を覆うように倒されており、このとき防漏壁形成部１１Ａ，１２Ａの自由縁部１１ｄ，１２ｄと、フラップ１１Ｂ，１２Ｂの自由縁部１１ｅ，１２ｅは、前記固定部１３および１４ならびに起点縁部１３ａ，１４ａよりも中心線Ｏ−Ｏ側に位置している。またこの状態で、フラップ１１Ｂとフラップ１２Ｂとが互いに重なり合っていてもよい。そして図２の状態の生理用ナプキン１０がさらに折り畳まれ、包装シートにより個別に包装されている。
【００５８】
使用時には、個別の包装を開封して、図２に示す状態に展開する。そして着用者自らが、不透液部材１１と１２を、前記起点縁部１３ａ，１４ａを起点として図３に示すように左右両外側へ折り曲げ、さらにフラップ１１Ｂと１２Ｂを、本体部１の右側縁部１ｃと左側縁部１ｄを経て本体部１の裏面側に折り曲げる。そして、前記感圧接着剤層２３，２３などの着脱自在な固定手段を用いて、前記フラップ１１Ｂ，１２Ｂを本体部１の裏面シート３の外面に固定し、図１の状態とする。第２の例では、着用者自らが図１の状態としてから生理用ナプキン１０を着用することになる。
【００５９】
第１の実施の形態の生理用ナプキン１０では、前記のように予め図１の状態となっており、あるいは着用自らが図１の状態にして使用するが、この使用状態において、前記防漏壁形成部１１Ａ，１２Ａに、弾性部材１５，１５により縦方向の弾性収縮力が作用している。この弾性収縮力によって、本体部１が図１に示す状態に湾曲変形し、その結果、防漏壁形成部１１Ａ，１２Ａの自由縁部１１ｄ，１２ｄが本体部１の表面から立ち上がる。
【００６０】
ここで、前記不透液部材１１と１２が左右両側へ曲げられる前の状態では、図２に示すように自由縁部１１ｄ，１１ｅおよび１２ｄ，１２ｅが中心線Ｏ−Ｏ側に向けられた状態で、固定部１３と１４が本体部１の表面に固定されている構造である。したがって、前記防漏壁形成部１１Ａ，１２Ａでは、自由縁部１１ｄと１２ｄが中心線Ｏ−Ｏに向く状態で斜めに立ち上がろうとする。しかし、フラップ１１Ｂ，１２Ｂが、右側縁部１ｃと左側縁部１ｄを越えて裏面側に折り曲げられているため、前記防漏壁形成部１１Ａ，１２Ａのうちの、フラップ１１Ｂ，１２Ｂに近い部分では、自由縁部１１ｄ，１２ｄが外側（（i）方向）へ向けられ、後方端部１１Ｃ，１２Ｃに近い部分では、自由縁部１１ｄ，１２ｄが内側（（ii方向）へ向けられた状態となる。
【００６１】
この生理用ナプキン１０を着用するときには、図１に示す状態で、裏面シート３に設けられた感圧接着剤層２２，２２を介して下着のクロッチ部の内面に固着させ、下着とともに身体に着用し、本体部１の受液領域２１を身体の股間部に当てる。
【００６２】
前記不透液部材１１と１２は、そのフラップ１１Ｂ，１２Ｂが、本体部１の右側縁部１ｃと左側縁部１ｄに巻きつけられてこの右側縁部１ｃと左側縁部１ｄに拘束された状態であるため、着用中に本体部１の表面が変形しても、この表面の変形が防漏壁の形状に直接に影響を与えにくくなり、防漏壁形成部１１Ａ，１２Ａは、図１に示すように前方部分が外側へ斜めに向けられ、後方部分が内側へ斜めに向けられた状態を維持しやすい。
【００６３】
前記下着を引き上げるようにして着用すると、下着のクロッチ部に固定された生理用ナプキンの本体部１は、その幅寸法が縮まるように変形しようとし、本体部１の表面が波状に変形しやすい。このように本体部１の表面が波状に変形しても、フラップ１１Ｂ，１２Ｂが右側縁部１ｃと左側縁部１ｄとで拘束されているために、不透液部材１１，１２の形状が変化しにくく、股間部に装着された状態で、防漏壁は図１に示す立ち上がり状態を維持し、防漏壁が不規則に倒れたり変形しにくい。したがって、本体部１の受液領域２１から両側方へ流れ出ようとする体排泄液は前記防漏壁形成部１１Ａ，１２Ａにより堰き止められやすくなる。
【００６４】
また、前記防漏壁形成部１１Ａ，１２Ａは、図１に示すように、後方部分において自由縁部１１ｄ，１２ｄが中心線Ｏ−Ｏに向くように内側に斜めに傾斜しているため、この部分では、前記防漏壁形成部１１Ａ，１２Ａと本体部１の表面との間にポケット部２５，２５が形成され、しかもこのポケット部２５，２５は不規則に変化せずにその形状を維持しやすい。よって、前記ポケット部２５，２５において体排泄液を堰き止めることができ、体排泄液の横漏れを防止しやすい。また、後方部分に前記ポケット部２５，２５が形成されているため、身体の臀部の方向へ移動しようとする体排泄液の横方向への漏れを防止しやすい。
【００６５】
また、この実施の形態では、防漏壁形成部１１Ａ，１２Ａの立ち上がり起点が吸収層４の上に位置しているが、この吸収層４が設けられている部分は比較的剛性が高いため、本体部１が変形されたときに、防漏壁に与えられる変形力をさらに低減できる。
【００６６】
ここで、前記防漏壁形成部１１Ａ，１２Ａでの前記起点縁部１３ａ，１４ａから自由縁部１１ｄ，１２ｄまでの幅寸法Ｗ２は、３ｍｍ以上であることが好ましい。前記未満では、この防漏壁形成部１１Ａ，１２Ａによる液の堰止め効果が低下する。また、前記幅寸法Ｗ２の上限は２０ｍｍであることが好ましい。前記範囲を越えると、幅寸法Ｗ２が大きくなりすぎて防漏壁形成部１１Ａ，１２Ａが体圧を受けたときに折れたり縒れたりしやすくなる。
【００６７】
また、前記フラップ１１Ｂ，１２Ｂの前記幅寸法Ｗ３は１５〜４０ｍｍの範囲が好ましい。前記範囲内であれば、本体部１の裏面に向けて折りやすい。
【００６８】
図５は本発明の吸収性物品の第２の実施の形態の一例として生理用ナプキン１００を表面側から示す平面図、図６は不透液部材を前記生理用ナプキン１００の両側縁部側へ折り曲げた状態を示す平面図、図７は生理用ナプキン１００を下着に固着させた状態にいて生理用ナプキン１００を図６のＶＩＩ−ＶＩＩ線で切断した状態を下着の断面と共に示す断面図である。
【００６９】
第２の実施の形態の生理用ナプキン１００の本体部１の平面形状およびその構造は、図１ないし図４に示した第１の実施の形態と同じであるため、図１ないし図４と同じ部分に同じ符号を付してその説明を省略する。
【００７０】
この実施の形態においても、前記本体部１を幅方向に二分して縦方向に延びる中心線をＯ−Ｏとしたときに、前記中心線Ｏ−Ｏを挟んで左右両側に所定間隔を開けた位置に不透液部材１１１と１１２が設けられている。両不透液部材１１１と１１２は、幅方向（Ｘ方向）に間隔を空けて、前記本体部１の縦方向（Ｙ方向）に延びるように設けられている。
【００７１】
前記不透液部材１１１は、中間領域を含む縦方向の長さがＬ１１の防漏壁形成部１１１Ａと、前方端部領域に位置して前縁部１１１ａを含む長さがＬ１２である前方のフラップ１１１Ｂと、後方端部領域に位置して後縁部１１１ｂを含む長さがＬ１３である後方のフラップ１１１Ｃとを有している。同様に、前記不透液部材１１２は、中間領域を含む縦方向の長さがＬ１１の防漏壁形成部１１２Ａと、前方端部領域に位置して、前縁部１１２ａを含む長さがＬ１２の前方のフラップ１１２Ｂと、後方端部領域に位置して後縁部１１２ｂを含む長さがＬ１３の後方のフラップ１１２Ｃとを有している。
【００７２】
前記第１の実施の形態と同様に、不透液部材１１１と１１２は、細長い帯状の不透液シート２０を２枚重ね状態に折り畳んだものである。前記フラップ１１１Ｂおよびフラップ１１１Ｃでは、前記折り線の部分が自由縁部１１１ｅおよび自由縁部１１１ｆとなっている。また防漏壁形成部１１１Ａでは、２枚重ねの前記不透液シート２０が切断された縁部が自由縁部１１１ｄとなっている。不透液部材１１１の基部には、幅寸法がＷ１で縦方向に延びる固定部１１３が形成されており、前記本体部１の表面に接着剤や熱シール手段を用いて固定されている。
【００７３】
前記不透液部材１１２は、前記不透液部材１１１と左右対称の形状であり、フラップ１１２Ｂとフラップ１１２Ｃの自由縁部を１１２ｅ，１１２ｆで示し、防漏壁形成部１１２Ａの自由縁部を１１２ｄで示している。また幅がＷ１の固定部を１１４で示している。
【００７４】
前記固定部１１３と１１４は、防漏壁形成部１１１Ａと１１２Ａの全長に渡って設けられ、さらにフラップ１１１Ｃ，１１２Ｃの後縁部まで延びている。前記防漏壁形成部１１１Ａ，１１２Ａおよびフラップ１１１Ｃ，１１２Ｃでは、前記固定部１１３と１１４の境界部が縦方向に延びる起点縁部１１３ａ，１１４ａとなって、前記起点縁部１１３ａ，１１４ａと前記各自由縁部１１１ｄ，１１１ｆおよび１１２ｄ，１１２ｆとで囲まれた自由部分（非固定部）が、本体部１の表面から離間可能となっている。そして、この実施の形態では、前記起点縁部１１３ａ，１１４ａが吸収層４の右側縁部４ｃと左側縁部４ｄの内側で前記吸収層４の上に位置している。
【００７５】
また、前方端部領域に設けられている前記フラップ１１１Ｂと１１２Ｂは、その全体が、本体部１の表面に固定されることなく自由状態となっている。
【００７６】
そして、前記防漏壁形成部１１１Ａと１１２Ａの全長にわたって、２枚重ねの不透液シート２０の間に弾性部材１５，１５が挟まれて固定されている。前記弾性部材１５，１５は縦方向に伸ばされた状態で前記不透液シート２０に接合されている。その結果、前記防漏壁形成部１１１Ａと１１２Ａでは、非固定部に縦方向の寸法を縮めようとする弾性収縮力が作用している。
【００７７】
図５に示すように、前記防漏壁形成部１１１Ａ，１１２Ａの、前記起点縁部１１３ａ，１１４ａから自由縁部１１１ｄ，１１２ｄまでの非固定部の幅寸法をＷ２とする。また、前記フラップ１１１Ｂ，１１２Ｂおよびフラップ１１１Ｃ，１１２Ｃでの起点縁部１１３ａ，１１４ａから自由縁部１１１ｅ，１１１ｆおよび１１２ｅ，１１２ｆまでの非固定部の幅寸法をＷ３とする。このとき、前記幅寸法Ｗ３は前記幅寸法Ｗ２よりも十分に広く形成されている。
【００７８】
前方のフラップ１１１Ｂと後方のフラップ１１１Ｃは、図５の状態のときに表面に現れる面に、着脱自在な固定手段となる感圧接着剤層２３，２３が設けられている。同様に、フラップ１１２Ｂとフラップ１１２Ｃにも、図５の状態のときに表面に現れる面に前記感圧接着剤層２３，２３が設けられている。なお前記各感圧接着剤層２３の代わりとなる固定手段として、下着の外面に機械的に掛止される細かな多数のフックを有する面ファスナーを用いることができる。
【００７９】
また、この実施の形態においても、前記不透液部材１１１の起点縁部１１３ａと不透液部材１１２の起点縁部１１４ａとで挟まれる領域で、且つ前記吸収層４を覆う表面シート２が現れている領域が受液領域２１である。
【００８０】
次に、前記生理用ナプキンの使用方法について説明する。
図５に示すように、生理用ナプキンを着用する直前の状態では、不透液部材１１１と１１２は、本体部１の受液領域２１の表面に重ねられており、このとき前記自由縁部１１１ｄ，１１１ｅ，１１１ｆおよび前記自由縁部１１２ｄ，１１２ｅ，１１２ｆは、前記起点縁部１１３ａおよび１１４ａよりも中心線Ｏ−Ｏに近づく位置にある。また、本体部１の表面において、フラップ１１１Ｂと１１２Ｂとが互いに重なり合ったり、さらに、あるいはまた、フラップ１１１Ｃと１１２Ｃが互いに重なり合っていてもよい。
【００８１】
図７に示すように、前記生理用ナプキン１００は、下着３０のクロッチ部３０ａの内面に装着して使用する。このとき、前記本体部１をクロッチ部３０ａの中央部分に設置して、本体部１の裏面側に設けられた感圧接着剤層２２，２２を前記クロッチ部３０ａの内面に接着させて本体部１をクロッチ部３０ａに固定する。
【００８２】
そして、不透液部材１１１を起点縁部１１３ａを起点として側縁部１ｃ側へ倒し、不透液部材１１２を起点縁部１１４ａを起点として側縁部１ｄ側に倒す。そして、フラップ１１１Ｂ，１１２Ｂを、前記クロッチ部３０ａの両側縁部を経て下着３０の外面に巻き付けるように折り曲げて、前記フラップ１１１Ｂ，１１２Ｂを、感圧接着剤層２３，２３により下着３０の外面に固定する。ここで、前記フラップ１１１Ｂ，１１２Ｂは、その全体が本体部１に固定されていない自由状態であるため、フラップ１１１Ｂ，１１２Ｂを、クロッチ部３０ａの外面に向けて折り曲げやすくなっており、よってフラップ１１１Ｂ，１１２Ｂを下着３０の外面に固着させる装着操作が容易である。
【００８３】
同様に、後方のフラップ１１１Ｃ，１１２Ｃをクロッチ部３０ａの側縁部を経て下着３０の外面に重なるように折って、前記フラップ１１１Ｃ，１１２Ｃを前記感圧接着剤層２３，２３により前記外面に固定する。
【００８４】
前記のように生理用ナプキンが装着された下着３０を着用すると、この下着３０のクロッチ部３０ａが着用者の股間部の形状に応じて凹形状に湾曲する。その結果、防漏壁形成部１１１Ａ，１１２Ａは、弾性部材１５，１５の弾性収縮力によりその縦方向の寸法が縮むように収縮し、自由縁部１１１ｄ，１１２ｄが本体部１の表面から離れるように立ち上がる。そして、前記自由縁部１１１ｄ，１１２ｄおよびその近傍の部分が着用者の股間部において主に会陰部に当接する。
【００８５】
ここで、前方のフラップ１１１Ｂ，１１２Ｂおよび後方のフラップ１１１Ｃ，１１２Ｃが共に下着３０のクロッチ部３０ａに固定されているため、防漏壁形成部１１１Ａ，１１２Ａと、前記クロッチ部３０ａの両側縁部との相対位置が変化しにくい。
【００８６】
下着３０を引き上げるようにして着用すると、クロッチ部３０ａに設けられた生理用ナプキンの本体部１は、中央線Ｏ−Ｏの部分が身体の方向へ持ち上がるように凸状に変形しようとし、その結果、本体部１の幅寸法が縮まるように変形しようとする。このとき、不透液部材１１１と１１２はその前後に設けられたフラップがクロッチ部３０ａの側縁部に固定されているため、不透液部材１１１と１１２が互いに接近する方向へ変形しにくく、防漏壁形成部１１１Ａ，１１２Ａが、液排泄部の両側の会陰部付近から位置ずれしにくくなる。そのため体排出液すなわち経血は不透液部材１１１と１１２との間の受液領域２１で確実に受け止められるようになり、不透液部材１１１と１１２を越えて側方へ流れ出にくくなる。
【００８７】
また、前記不透液部材１１１と１１２はクロッチ部３０ａの両側縁部により拘束されているため、その防漏壁形成部１１１Ａ，１１２Ａが体圧によって不規則に変形しにくくなり、前記防漏壁形成部１１１Ａ，１１２Ａは、自由縁部１１１ｄと１１２ｄがやや横方向外方へ向けられた傾斜姿勢を維持し、この姿勢のまま身体に当接する。そのため、前記防漏壁形成部１１１Ａ，１１２Ａと身体の股間部との間に隙間が形成されにくい。
【００８８】
また生理用ナプキンの後方部分が身体の臀部に当てられると、本体部１の中央部分が臀部の溝に入り込むように変形しやすくなるが、このときも防漏壁形成部１１１Ａ，１１２Ａは不規則に変形しにくくなり、前記防漏壁形成部１１１Ａ，１１２Ａは、会陰部付近に当たった状態を維持しやすい。
【００８９】
特に図５ないし図７に示す実施の形態では、不透液部材１１１と１１２の立ち上がりの起点となる前記起点縁部１１３ａ，１１４ａが吸収層４の上に位置している。生理用ナプキンの幅寸法を短くするような変形力が作用しても、前記不透液部材１１１と１１２はある程度高い剛性の吸収層４の上に位置しているため、防漏壁形成部１１１Ａ，１１２Ａが不規則に変形しにくい。
【００９０】
このように、防漏壁形成部１１１Ａ，１１２Ａは、自由縁部１１１ｄ，１１２ｄが幅方向の外側へ向けられた状態に安定しやすいため、前記防漏壁形成部１１１Ａ，１１２Ａが中心線Ｏ−Ｏに向けて倒れることがなく、よって受液領域２１に不透液部材１１１，１１２が重なることがなく、受液面積を低減させることがない。
【００９１】
ここで、第２の実施の形態における各幅寸法Ｗ１，Ｗ２，Ｗ３の好ましい範囲は、前記第１の実施の形態と同じである。
【００９２】
なお、前記前方側のフラップ１１１Ｂ，１１２Ｂと、後方側のフラップ１１１Ｃ，１１２Ｃの少なくとも一方の側での前記幅寸法をＷ３を１０〜２５ｍｍ程度として、前記フラップ１１１Ｂ，１１２Ｂとフラップ１１１Ｃ，１１２Ｃの少なくとも一方を下着３０のクロッチ部３０ａの内面に固定させて使用することもできる。
【００９３】
次に図８は本発明の吸収性物品の第３の実施の形態の生理用ナプキン１００Ａを示す平面図である。
【００９４】
この実施の形態では、本体部１Ａの外縁の形状が図１ないし図７に示した本体部１と相違している。図８に示す本体部１Ａでは、右側縁部１ｃと左側縁部１ｄの一部分が、本体部１Ａを縦方向に二分する中心よりも前方の領域において幅方向の両側に突出し、この突出した部分によりウイング部３１，３２が形成されている。そして、前記ウイング部３１と３２の裏側では、裏面シート３の外面に着脱自在な固定手段となる感圧接着剤層３３と３４が設けられている。
【００９５】
前記ウイング部３１と３２は、前記裏面シート３と前記表面シート２とがホットメルト接着剤で接合されて構成されていてもよいし、または前記不透液部材１１１と１１２を形成する不透液シート２０の基端部が前記ウイング部３１，３２まで延びて、前記ウイング部３１と３２において、裏面シート３と前記不透液シート２０とがホットメルト接着剤により接合されていてもよい。
【００９６】
また、図８に示す実施の形態では、不透液部材１１１の固定部１１３が、吸収層４の右側縁部４ｃと本体部１Ａの右側縁部１ｃとの間に位置している。また不透液部材１１２の固定部１１４も、吸収層４の左側縁部４ｄと本体部１Ａの左側縁部１ｄとの間に位置している。
【００９７】
また、前記ウイング部３１と３２以外の各部材の形状および構造、また前記不透液部材１１１と不透液部材１１２の固定部１１３，１１４が設けられている場所の違い以外は、図５ないし図７に示した実施の形態と同じであるため、図８ではこれら各図と同じ符号を付してその説明を省略する。
【００９８】
この実施の形態の生理用ナプキンを下着３０のクロッチ部３０ａの内面に装着するときには、受液領域２１の裏面側に設けられた感圧接着剤層２２，２２をクロッチ部３０ａの内面に固着させるとともに、前記ウイング部３１と３２を、クロッチ部３０ａの両側縁部を巻き込ませるように変形させ、前記ウイング部３１と３２を前記感圧接着剤層３３と３４を介して下着３０の外面に固着させる。
【００９９】
また、前方のフラップ１１１Ｂ，１１２Ｂと後方のフラップ１１１Ｃ，１１２Ｃは、図７に示したのと同様にクロッチ部３０ａの両側縁部を巻き込むように変形させて下着３０の外面に固着させる。
【０１００】
この実施の形態では、本体部１Ａが、クロッチ部３０ａの内面において確実に固定されるために、着用時に本体部１Ａの両側縁部１ｃと１ｄが互いに接近する方向へさらに変形しにくくなり、防漏壁形成部１１１Ａ，１１２Ａが中心側に寄るような変形がさらに生じにくくなる。
【０１０１】
図９は本発明の第４の実施の形態を示す生理用ナプキン１００Ｂの平面図である。この実施の形態では、本体部１の形状および構造は図１ないし図７に示した各実施の形態と同じである。また、前記不透液部材１１１と１１２の形状および構造も、図５ないし図７に示すものと実質的に同じである。
【０１０２】
ただし、図９に示す第４の実施の形態では、防漏壁形成部１１１Ａ，１１２Ａの縦方向の寸法Ｌ１４が長く、また前方端部領域に形成されている長さＬ１５のフラップ１１１Ｂ，１１２Ｂが本体部１の前縁部１ａを越えて前方へ延びており、後方端部領域に形成されている長さＬ１６のフラップ１１１Ｃ，１１２Ｃも、本体部１の後縁部１ｂを越えて後方へ長く延びている。そして、フラップ１１１Ｂ，１１２Ｂとフラップ１１１Ｃ，１１２Ｃは、そのほぼ全体が本体部１に接合されていない自由状態となっている。
【０１０３】
この実施の形態では、防漏壁形成部１１１Ａ，１１２Ａの前方の途中からフラップ１１１Ｂ，１１２Ｂにかけた部分と、フラップ１１１Ｃ，１１２Ｃにおいて、不透液部材１１１と１１２が本体部１に接合されていないため、フラップ１１１Ｂ，１１２Ｂとフラップ１１１Ｃ，１１２Ｃを両側方へ倒したときに右側縁部１ｃと左側縁部１ｄを越えて側方へ長く延ばすことができる。よってフラップ１１１Ｂ，１１２Ｂおよびフラップ１１１Ｃ，１１２Ｃを下着３０のクロッチ部３０ａの外面に折り返しやすくなる。
【０１０４】
なお、図９では、不透液部材１１１の固定部１１３、および不透液部材１１２の固定部１１４が、吸収層４の右側縁部４ｃと左側縁部４ｄよりも外側で、本体部１の右側縁部１ｃと左側縁部１ｄよりも内側に位置している。その他の部分の形状と構造は図５ないし図７に示したものと同じであり、同じ部分には同じ符号を付してその説明を省略する。
【０１０５】
なお、前記図５ないし図９に示すように、不透液部材１１１と１１２の前方端部領域と後方端部領域の両領域に、フラップ１１１Ｂ，１１２Ｂおよびフラップ１１１Ｃ，１１２Ｃが形成された各実施の形態の生理用ナプキン１００、１００Ａ、１００Ｂの構造を利用して、図１に示した前記第１の実施の形態の第１の例と第２の例に類似した生理用ナプキンを構成することも可能である。
【０１０６】
すなわち、フラップ１１１Ｂ，１１２Ｂおよびフラップ１１１Ｃ，１１２Ｃのそれぞれを、予め本体部１または本体部１Ａの裏面シート３に向けて折り返しておき、それぞれのフラップを、ホットメルト型接着剤やヒートシールなどにより、前記裏面シート３の外面に容易に離脱できないように強固に固定しておき、このようにフラップが固定されたものが最終的な製品として用いられるものであってもよい。
【０１０７】
あるいは、フラップ１１１Ｂ，１１２Ｂおよびフラップ１１１Ｃ，１１２Ｃのそれぞれを、使用前に着用者自らにより本体部１または本体部１Ａの裏面シート３に向けて折り返し、感圧接着剤層２３などの着脱自在な固定手段を用いて、それぞれのフラップと裏面シート３とを固定し、その状態で下着３０のクロッチ部３０ａの内側に設置しても使用してもよい。
【０１０８】
このように、フラップ１１１Ｂ，１１２Ｂおよびフラップ１１１Ｃ，１１２Ｃを、本体の裏面シート３の外面に固定して使用することにより、本体の表面に波うち状態などの変形が生じたときに、不透液部材１１１，１１２で形成される防漏壁がその変形を受け難いという第１の実施の形態と同様の効果を奏することができる。
【０１０９】
逆に、図２ないし図４に示した第１の実施の形態の生理用ナプキン１０を、図７に示すようにして使用することも可能である。
【０１１０】
すなわち前記第１の実施の形態の生理用ナプキン１０を下着３０のクロッチ部３０ａの内面に設置したときに、不透液部材１１と１２を左右の両外側に折り返し、フラップ１１Ｂと１２Ｂを、クロッチ部３０ａの両縁部を巻き込むように変形させ、前記フラップに設けられた感圧接着剤層などの着脱自在な固定手段を用いてフラップを下着３０の外面に固定して使用してもよい。このような使用態様では、生理用ナプキン１０がその幅寸法が縮まるように変形しても、不透液部材１１，１２で形成される防漏壁が下着３０に拘束されて変形しにくくなるという前記第２ないし第４の実施の形態と同様の効果を奏することができる。
【０１１１】
このように、前方端部領域にのみ設けられたフラップを下着３０の外面に固定して使用する生理用ナプキンとしてのさらに好ましい第５の実施の形態を図１０により説明する。
【０１１２】
この実施の形態の生理用ナプキン１０Ａでは、本体部１の形状および構造が図１ないし図４に示した実施の形態と同じである。また不透液部材１１と１２も図２ないし図４に示す実施の形態と類似しているため、同じ構造部分には同じ符号を付してその詳しい説明を省略する。
【０１１３】
不透液部材１１と１２は、縦方向の長さがＬ１７の防漏壁形成部１１Ａ，１２Ａから縦方向の長さがＬ１９の後方端部１１Ｃ，１２Ｃにかかる範囲に、本体部１に固定する固定部１３，１４が形成されている。また、後方端部１１Ｃ，１２Ｃでは不透液部材１１，１２の全体が中心線Ｏ−Ｏ´に向けて倒された状態で本体部１の表面に固定されている。そして縦方向の長さがＬ１８のフラップ１１Ｂ，１２Ｂにおいて、不透液部材１１，１２は本体部１に固定されることのない自由状態となっており、このフラップに着脱自在な固定手段として感圧接着剤層２３，２３が設けられている。
【０１１４】
この実施の形態の生理用ナプキン１０Ａを装着する際には、本体部１の裏面に設けられた感圧接着剤層２２，２２を下着３０のクロッチ部３０ａの内面に固着させ、フラップ１１Ｂ，１２Ｂを左右両外側へ倒し、このフラップを下着３０のクロッチ部３０ａの両側縁部で折り返し、下着３０の外面に固着する。
【０１１５】
図１０では、フラップ１１Ｂ，１２Ｂ全体が本体部１に固定されていない自由状態であるため、このフラップを下着３０の外面に向けて折り返しやすくなる。またフラップ１１Ｂ，１２Ｂの縦方向の長さ寸法Ｌ１８をさらに長くして、フラップ１１Ｂ，１２Ｂが本体部１の前縁部１ａよりもさらに前方へ長く延びるようにしてもよい。このように構成すると、さらにフラップを下着３０の外面に折り返しやすくなる。
【０１１６】
なお、本発明では他の実施の形態とすることが可能であり、各実施の形態において、不透液部材１１，１２または１１１，１１２を形成する不透液シート２０，２０が、本体部１の右側縁部１ｃと左側縁部１ｄまで延びている構造であってもよい。
【０１１７】
また、本発明の吸収性物品は、生理用ナプキンに限られず、下着または使い捨てオムツの内側に取り付けられて使用される尿とりパッド、尿や便を捕捉する補助パッドなどとして使用可能である。
【０１１８】
次に各部材を構成する材料の好ましい例を説明する。
前記表面シート２は親水処理されたＰＰ繊維、ＰＥ繊維、ＰＥＴ繊維、またはこれらの複合繊維などで形成された不織布であり、サーマルボンド不織布、スパンボンド不織布、スパンレース不織布などである。また、親水処理されていない前記合成繊維あるいは親水処理された前記合成繊維に、アセテートレーヨン、ビスコースレーヨン、コットン、パルプ繊維などのような、親水性の天然繊維または再生繊維が５〜３０質量％含まれたものであっても良い。あるいは開孔処理が施された樹脂シートであっても良い。
【０１１９】
前記裏面シート３は、液不透過性の樹脂フィルムや撥水処理されたスパンボンド不織布またはスパンレース不織布などである。
【０１２０】
前記吸収層４は、粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【０１２１】
前記弾性部材１５は天然ゴム、合成ゴム、ポリウレタン、スチレン−ブタジエン共重合体などから形成でき、その形態としては、糸状、フィラメント状、フィルム状、帯状（ベルト状）などの形態を取り得る。その他、エラスチックスパンボンド不織布やエラスチックメルトブロン不織布などの伸縮性不織布から切断したものなども使用可能である。
【０１２２】
前記不透液部材１１，１２，１１１，１１２を形成する不透液シート２０は、撥水処理されたスパンボンド不織布またはスパンレース不織布などである。
【０１２３】
【発明の効果】
以上に説明したように、本発明の吸収性物品は、不透液部材の少なくとも一方の端部領域に、本体部の側縁部を巻き込むフラップが形成されている。よって、本体部が不規則に変形しても、前記不透液部材により形成される防漏壁がこれに追従して不規則に倒れたり変形することが起きにくくなり、防漏壁の起立状態が安定しやすい。よって防漏壁による横漏れ防止効果を十分に発揮できるものとなる。
【図面の簡単な説明】
【図１】本発明の吸収性物品の第１の実施の形態の生理用ナプキンを示す斜視図、
【図２】図１に示す生理用ナプキンにおいて不透液部材が本体部表面に倒されている状態を示す平面図、
【図３】図１に示す生理用ナプキンにおいて不透液部材が本体部の左右両側へ倒された状態を示す平面図、
【図４】図１に示す生理用ナプキンのＩＶ−ＩＶ線の断面図、
【図５】本発明の第２の実施の形態を示す平面図、
【図６】図５に示す生理用ナプキンの不透液部材を折り返した状態を示す平面図、
【図７】図５に示す生理用ナプキンが下着のクロッチ部に装着された状態を示すものであり、図６のＶＩＩ−ＶＩＩ線の断面を下着の断面とともに示す断面図、
【図８】本発明の第３の実施の形態の生理用ナプキンを示す平面図、
【図９】本発明の第４の実施の形態の生理用ナプキンを示す平面図、
【図１０】本発明の第５の実施の形態の生理用ナプキンを示す平面図、
【符号の説明】
１０，１０Ａ，１００，１００Ａ，１００Ｂ  生理用ナプキン
１，１Ａ  生理用ナプキンの本体部
１ａ  本体部の前縁部
１ｂ  本体部の後縁部
１ｃ  本体部の右側縁部
１ｄ  本体部の左側縁部
２  表面シート
３  裏面シート
４  吸収層
１１，１２，１１１，１１２  不透液部材
１１ｄ，１２ｄ，１１１ｄ，１１２ｄ  自由縁部
１１ｅ，１２ｅ  自由縁部
１１Ａ，１２Ａ，１１１Ａ，１１２Ａ  フラップ
１１Ｂ，１２Ｂ，１１１Ｂ，１１２Ｂ  防漏壁形成部
１１Ｃ，１２Ｃ  後方端部
１１１Ｃ，１１２Ｃ  フラップ
１３，１４，１１３，１１４  固定部
１３ａ，１４ａ，１１３ａ，１１４ａ  起点縁部
１５  弾性部材
２０  不透液シート
２１  受液領域
２３  感圧接着剤層
【図１】
0004173703.tif 000002
【図２】
0004173703.tif 000003
【図３】
0004173703.tif 000004
【図４】
0004173703.tif 000005
【図５】
0004173703.tif 000006
【図６】
0004173703.tif 000007
【図７】
0004173703.tif 000008
【図８】
0004173703.tif 000009
【図９】
0004173703.tif 000010
【図１０】
0004173703.tif 000011